(57)【特許請求の範囲】
【請求項１】
開口部を有する前面パネルが側面の一方に設けられた実質的に箱形状のフレームと、
前記前面パネルに隣接する前記フレームの内部に配置され、仕切り部材により区切られて前記開口部と連絡する最上段を有し、ディスクを回動自在に保持するカートリッジが積層されて収納される収納部と、
前記フレームの内部における前方部分に配置された前記収納部に対して前記フレームの内部における後方部分に配置され、前記ディスクの記録再生を行う再生手段を有する再生部と、
前記収納部の最下段のカートリッジを前記再生部の方向へ移送し、かつ前記再生部のカートリッジを前記収納部の最上段の方向へ移送するカートリッジ移送手段と、
前記カートリッジ移送手段により前記収納部から引き出されたカートリッジを案内して当該カートリッジを再生位置に装着し、かつ再生位置のカートリッジを前記収納部の最上段へ返納可能な位置に保持するカートリッジ回動手段とを具備し、
前記開口部から挿入されたカートリッジや前記再生部から前記収納部の最上段に返納されたカートリッジが、前記収納部内において下降し、前記収納部の最下段から前記再生部へ移送されるよう構成されたディスク装置であって、
前記収納部の最下段に収納されたカートリッジをカートリッジ移送手段が再生位置へ移送するとき、移送される当該カートリッジのみを斜行して前記収納部から前記再生部へ引出すよう構成されたディスク装置。
【請求項２】
開口部を有する前面パネルが側面の一方に設けられた実質的に箱形状のフレームと、
前記前面パネルに隣接する前記フレームの内部に配置され、仕切り部材により区切られて前記開口部と連絡する最上段を有し、ディスクを回動自在に保持するカートリッジが積層されて収納される収納部と、
前記フレームの内部における前方部分に配置された前記収納部に対して前記フレームの内部における後方部分に配置され、前記ディスクの記録再生を行う再生手段を有する再生部と、
前記収納部の最下段のカートリッジを前記再生部の方向へ移送し、かつ前記再生部のカートリッジを前記収納部の最上段の方向へ移送するカートリッジ移送手段と、
前記カートリッジ移送手段により前記収納部から引き出されたカートリッジを案内して当該カートリッジを再生位置に装着し、かつ再生位置のカートリッジを前記収納部の最上段へ返納可能な位置に保持するカートリッジ回動手段とを具備し、
前記開口部から挿入されたカートリッジや前記再生部から前記収納部の最上段に返納されたカートリッジが、前記収納部内において下降し、前記収納部の最下段から前記再生部へ移送されるよう構成されたディスク装置であって、
前記カートリッジ移送手段が前記収納部の最上段のカートリッジを実質的に同じ高さに配置された前記カートリッジ回動手段に移送し、前記カートリッジ回動手段が当該カートリッジを前記再生手段に装着するよう構成されたディスク装置。
【請求項３】
カートリッジが前記開口部より前記収納部の最上段に収納されたとき、他のカートリッジが再生状態か否かにより最上段の当該カートリッジの移送方向を決定する操作モード判別手段を有する請求項１又は請求項２記載のディスク装置。
【発明の詳細な説明】
【０００１】
【発明の属する技術分野】
本発明は記録媒体としてのディスクを回転自在に保持するカートリッジを複数毎収納し、連続演奏を行うことができるチェンジャ装置であるディスク装置に関するものである。
【０００２】
【従来の技術】
一台のディスク装置において、収納された複数のディスクを順次連続再生を行うディスクチェンジャ装置に関する技術としては以下のような技術が公報に開示されている。
特開平９−９７４７１号公報には従来のディスク装置としてのディスクローディング装置が開示されている。このディスクローディング装置は、複数のトレイが収納部に積層されており、それぞれにディスクを載置した積層されたトレイが順次下段から引出されて再生位置へ移送するよう構成されている。そして、再生されたディスクは収納部の最上段のトレイの上に返却される。このように、この従来のディスクローディング装置は、積み重ねられたトレイが順次循環して再生されるよう構成されている。
【０００３】
また、実開平６−８４５４５号公報には、別の従来のディスク装置が開示されている。このディスク装置は、収納部の各棚部の傾斜を異ならせて扇形に配置し、各棚部の傾斜に応じて再生手段の後端を揺動自在に支持する構成である。そして、このディスク装置でディスクを再生する場合、それぞれの棚部から直線的に再生手段の方へディスクを引き出し、再生手段の傾きを調整するよう構成されている。
【０００４】
【発明が解決しようとする課題】
しかしながら、前述の従来のディスク装置においては、小型化、薄型化、及び操作性の点で満足できるものではなかった。
例えば、特開平９−９７４７１号公報に開示されたディスクローディング装置は、記録媒体をトレイに載置して移送する構成であるため、トイレに載置する記録媒体がディスク単体の場合には適しているが、ディスク回転自在に保持するカートリッジ方式の場合には、装置が大きくなり小型化の目的に適していなかった。また、このディスクローディング装置において、記録媒体を再生する場合、トレイは収納部の下側にある再生位置に移送され、その位置で記録媒体が水平に引き出される構成である。このため、再生手段を収納部の下側の更に下方に配置しなければならず、このようなディスクローディング装置の構成を薄型化することは困難であった。
【０００５】
また、特開平６−８４５４５号公報に開示されたディスク装置は、再生手段を収納部と同じ高さの位置に配置可能であるが、収納部において複数の棚部が互いに間隔を有して扇形状に拡がる構成であるため、収納部の高さが大きくなり、薄型化に適していないという問題点があった。
【０００６】
本発明は、前述の従来のディスク装置の問題点を解消して、小型化及び薄型化を達成し、かつ部品点数の少ないディスク装置を提供するとともに、優れた操作性を有するディスクチェンジャ機能を備えたディスク装置を提供することを目的とするものである。
【０００７】
【課題を解決するための手段】
上記の目的を達成するために、本発明に係るディスク装置は、
開口部を有する前面パネルが側面の一方に設けられた実質的に箱形状のフレームと、
前記前面パネルに隣接する前記フレームの内部に配置され、仕切り部材により区切られて前記開口部と連絡する最上段を有し、ディスクを回動自在に保持するカートリッジが積層されて収納される収納部と、
前記フレームの内部における前方部分に配置された前記収納部に対して前記フレームの内部における後方部分に配置され、前記ディスクの記録再生を行う再生手段を有する再生部と、
前記収納部の最下段のカートリッジを前記再生部の方向へ移送し、かつ前記再生部のカートリッジを前記収納部の最上段の方向へ移送するカートリッジ移送手段と、
前記カートリッジ移送手段により前記収納部から引き出されたカートリッジを案内して当該カートリッジを再生位置に装着し、かつ再生位置のカートリッジを前記収納部の最上段へ返納可能な位置に保持するカートリッジ回動手段とを具備し、
前記開口部から挿入されたカートリッジや前記再生部から前記収納部の最上段に返納されたカートリッジが、前記収納部内において下降し、前記収納部の最下段から前記再生部へ移送されるよう構成されており、さらに前記収納部の最下段に収納されたカートリッジをカートリッジ移送手段が再生位置へ移送するとき、移送される当該カートリッジのみを斜行して前記収納部から前記再生部へ引出すよう構成されている。
【０００８】
上記のように構成することにより、本発明のディスク装置は、それぞれがディスクを保持する複数のカートリッジを順次連続的に演奏可能とするディスク装置を簡単な構成により実現できる。また、本発明のディスク装置は、収納部に積層された複数のカートリッジを順次上段から下段へ移送し、そして下段から引出して再生し、上段へ返納するよう構成されているため、再生部を実質的に固定状態にしてカートリッジを移送する手段の構成を簡略化することができ、また収納部の内部空間をカートリッジ搬送経路として使用しているため、デッドスペースの少ない効率的な小型で薄型の装置となる。
【０００９】
【発明の実施の形態】
以下、本発明に係るディスク装置の好ましい実施例について添付の図面を参照しつつ説明する。本実施例において記録媒体としてのディスクをケース内に回転自在に収納したカートリッジとして光ディスクを使用する例について説明するが、本発明はこれに限定されるものではなく、カートリッジ方式の記録媒体に本発明は適用できる。
【００１０】
図１は本発明に係る好ましい実施例のディスク装置を示す側面断面図である。図２は本実施例のディスク装置の内部構成を示す平面図である。図１及び図２に示すディスク装置において、本発明に関連する主要な構成要素のみを表示している。
図１において、本実施例のディスク装置は、その筐体の内部に配置されるメカフレーム１が以下に述べる各構成要素を配設する土台として設けられている。このメカフレーム１は、実質的に箱型に形成されている。筐体の前面パネルにはカートリッジ１０３を出し入れするための開口が挿入口２として設けられている。この挿入口２はメカフレーム１の内部空間に通じている。また、メカフレーム１の内部には、カートリッジ１０３を収納するためのストッカ枠３が筐体の前面側に配置されている。このストッカ枠３の最上段部分は、第１の収納部Ａとして構成され、挿入口２の開口と連絡している。第１の収納部Ａは最上段開閉仕切り板４によりその下側にある第２の収納部Ｂと区切られており、ストッカ枠３の最上段部分の第１の収納部Ａに挿入されたカートリッジ１０３を支持している。この最上段開閉仕切り板４は、搬送中にカートリッジが下に落ちないよう支持すると共に、必要に応じてメカフレーム１の外側に移動するよう制御される支持部材である。
【００１１】
図１において、記録媒体であるディスクを回転自在に保持するカートリッジ１０３は、ディスク装置の挿入口２から挿入され引き込まれる。引き込まれたカートリッジ１０３は、まず最上段開閉仕切り板４上の第１の収納部Ａに配置される。次に、最上段開閉仕切り板４が筐体内に収納され、第１の収納部Ａに収納されていたカートリッジ１０３が下降して、ストッカ枠３の下側部分により構成される第２の収納部Ｂ内に配置される。この第２の収納部Ｂには、複数のカートリッジ１０３が積層されて収納されるよう構成されている。本実施例のディスク装置においては、３枚のカートリッジ１０３が第２の収納部Ｂに積層されて収納される。
【００１２】
図１及び図２に示すように、第２の収納部Ｂの左方には斜行して配置された再生部Ｃが配設されている。再生部Ｃにはスピンドルモータ６、ターンテーブル７等のディスク再生のための各種機構が配置されている。
再生部Ｃにはトラバースシャーシ５がストッカ枠３と隣接して配置されている。このトラバースシャーシ５上にはカートリッジ１０３内のディスクを再生するために使用される部品、例えば、スピンドルモータ６、ターンテーブル７、光ピックアップ１０等が設けられている。トラバースシャーシ５は複数の防振ダンパ１１を介してメカフレーム１により支持されている。防振ダンパ１１はディスクの再生中において外部からメカフレーム１に伝わる衝撃などの振動を減衰させる機能を有している。このため、トラバースシャーシ５は外部からの振動による影響が受けにくい構造を有している。
【００１３】
再生部Ｃに設けられているカートリッジ支持ガイド８は、上下に移動可能に構成されており、第２の収納部Ｂから再生部Ｃの再生位置に引き出されるカートリッジ１０３を案内支持する部材である。すなわち、カートリッジ支持ガイド８は、カートリッジ１０３を支持して再生位置へ案内するために上昇した第１の位置と、再生中のディスクと接触しないよう待避する下降した第２の位置との間を移動可能に構成されている。
また、再生部Ｃに設けられているカートリッジ回動ホルダ９は、トラバースシャーシ５の後端部分（図１における左側部分）にある軸９ｃを中心に回動自在に軸止されている。このカートリッジ回動ホルダ９は、第２の収納部Ｂ内から引き出されたカートリッジ１０３を受け取り、再生位置へ装着するとともに、再生後のカートリッジ１０３を第１の収納部Ａへ返納する機能を有する。また、カートリッジ回動ホルダ９は再生中のカートリッジ１０３を押圧して所定位置に保持する機能を持つ。このため、カートリッジ回動ホルダ９は、第１の収納部Ａに返納する第１の位置、第２の収納部Ｂの最下段から引き出されたカートリッジ１０３を受け取る第２の位置、及びさらに下方へ回動して再生中のカートリッジ１０３を押圧付勢する第３の位置の３つの停止位置を有して回動動作を行う。
【００１４】
［カートリッジの引き込み収納動作］
次に、本実施例のディスク装置における、カートリッジ１０３の引き込み収納動作について説明する。
図３及び図４は、本実施例のディスク装置におけるカートリッジ１０３の引き込み収納動作を示す側面断面図である。以下の動作説明において、位置の異なるカートリッジには異なる符号を付し、それぞれ第１のカートリッジ１０３ａ、第２のカートリッジ１０３ｂ、第３のカートリッジ１０３ｃとして説明する。図３は第１のカートリッジ１０３ａがディスク装置内の第１の収納部Ａに引き込まれる途中であり、第２の収納部Ｂに第２のカートリッジ１０３ｂが収納され、そして第３のカートリッジ１０３ｃは再生されている状態を示している。図４は第１のカートリッジ１０３ａが第２の収納部Ｂに収納された状態を示している。また、図５は図４に示したディスク装置の内部構成を示す平面図である。
【００１５】
図３に示すように、第２のカートリッジ１０３ｂが第２の収納部Ｂに収納されており、第３のカートリッジ１０３ｃが再生位置にある状態において、３枚目の第１のカートリッジ１０３ａを挿入口２から挿入すると、第１の収納部Ａを区切る最上段開閉仕切り板４がメカフレーム１の側面から突出して第１のカートリッジ１０３ａを案内する。このとき、第１のカートリッジ１０３ａは、矢印Ｅ方向に搬送されていき、第１の収納部Ａに収納される。
【００１６】
次に、第１の収納部を仕切っていた最上段開閉仕切り板４がメカフレーム１の外側へ移動し、第１の収納部Ａと第２の収納部Ｂの間の突出部分がなくなる。このため、第１の収納部Ａの第１のカートリッジ１０３ａが矢印Ｆ方向へ押圧されると、第１のカートリッジ１０３ａは第２の収納部Ｂへ移動する。このとき用いられる第１のカートリッジ１０３ａを押し下げる押圧付勢手段は図示を省略するが、押圧付勢手段としては一般的に用いられる板ばね等の弾性部材により構成される。ただし、押圧方向が重力方向と同一となる構成の装置においては、この押圧部材を設けずに重力を利用することも可能である。このように、第１のカートリッジ１０３ａは矢印Ｆ方向へ移動することにより、第１のカートリッジ１０３ａはストッカ枠３で構成される第２の収納部Ｂの中段の位置に移動する。このとき、第１のカートリッジ１０３ａは第２の収納部Ｂにおける最下段の第２のカートリッジ１０３ｂと直積みされている。このため、第１のカートリッジ１０３ａと第２のカートリッジ１０３ｂとの間には隙間はなく、仕切り部材等は存在していない。
【００１７】
本実施例のディスク装置は、上記のように収納部において複数のカートリッジが実質的に直積みされるよう構成されているため、装置の厚み方向の高さをカートリッジの厚み寸法により略設定可能である。
また、本実施例のディスク装置を車載等の振動の激しい状態で使用する場合においても、収納部の積み重ねられたカートリッジは図４の矢印Ｆ方向に押圧される構成であるため、収納されたカートリッジが外部からの振動で浮いてガタガタと鳴るラトルノイズを発生することがない。このように、本実施例のディスク装置は、収納部にある複数のカートリッジを一つの押圧付勢手段により確実に保持することが可能となる。
【００１８】
［カートリッジの再生位置移動動作］
次に、本実施例のディスク装置における、カートリッジの第２の収納部Ｂの最下段から再生位置への再生位置移動動作について説明する。
図６〜図８は、本実施例のディスク装置におけるカートリッジの再生位置移動動作を示す側面断面図である。図６は第２の収納部Ａの最下段の第３のカートリッジ１０３ａを引き出し、再生位置へ移送する途中の状態を示す図であり、図７は第３のカートリッジ１０３ｃが再生位置へ引き出された状態を示す図である。図８は第３のカートリッジ１０３ｃの再生位置における再生可能状態を示す図である。
【００１９】
再生位置移動動作の初期において、カートリッジ支持ガイド８及びカートリッジ回動ホルダ９は図６に示すカードリッジ保持位置に移動している。
図６に示す再生位置移動動作の初期において、第３のカートリッジ１０３ｃは第２の収納部Ｂの最下段から演奏位置である再生位置へ引き出される。再生位置とは、スピンドルモータ６やターンテーブル７等の再生機構が設けられているトラバースシャーシ５上の位置であり、カートリッジ内のディスクが再生される位置である。第３のカートリッジ１０３ｃが第２の収納部Ｂから再生位置へ引き出されるとき、ストッカ枠３の底面の凹部形状により第３のカートリッジ１０３ｃの前端部分（図６の右側部分）が案内支持されて、第３のカートリッジ１０３ｃは所望の傾きを有して移動する。このとき、再生部Ｃにおいて上下の２つの位置に移動可能なカートリッジ支持ガイド８は、上部の位置（カートリッジ保持位置）に配置されている。
【００２０】
カートリッジ支持ガイド８によって案内される第３のカートリッジ１０３ｃの挿入口側の前端部分は、図６に示すように、矢印Ｇ方向に移動し、第３のカートリッジ１０３ｃは斜行して移動する。更に第３のカートリッジ１０３ｃが引き出されることにより、第３のカートリッジ１０３ｃの前端部分は図７に示すように矢印Ｈ方向及び矢印Ｉ方向へ移動し、第３のカートリッジ１０３ｃは斜め上方に案内される。このように、第２の収納部Ｂから引き出される第３のカートリッジ１０３ｃの前端部分（挿入口側部分）は、矢印Ｇ、矢印Ｈそして矢印Ｉで示す方向に円弧を描くように移送される。このとき、カートリッジ支持ガイド８はカートリッジ保持位置に配置されており、カートリッジ支持ガイド８の案内部８ａはストッカ枠３の後端部近傍に配置されている。このため、第３のカートリッジ１０３ｃがストッカ枠３から引き出されるとき、第３のカートリッジ１０３ｃは案内部８ａにより確実に支持され、カートリッジ回動ホルダ９の保持部９ｂへ案内される。
上記のように、第２の収納部Ｂの最下段の第３のカートリッジ１０３ｃがカートリッジ移送手段により再生位置へ引き出されるとき、直上の第２のカートリッジ１０３ｂは枠部２０との接触により、その位置に保持される。このため、引き出される第３のカートリッジ１０３ｃは直上の第２のカートリッジ１０３ｂの後端部分のみと接触する。したがって、最下段の第３のカートリッジ１０３ｃを小さな力で引き出すことが可能となり、引き出される第３のカートリッジ１０３ｃに貼付されたラベル面等との引っ掛りを防止して、なめらかな移動が可能となる。
【００２１】
上記のように第２の収納部Ｂから引き出された第３のカートリッジ１０３ｃは、トラバースシャーシ５上の所望のカートリッジ保持角度を有する位置で待機していたカートリッジ回動ホルダ９により保持される。この位置が、第３のカートリッジ１０３ｃのカートリッジ再生待機位置である。図７に示す状態において、再生位置移動動作における第３のカートリッジ１０３ｃの後方への移送動作は完了する。
【００２２】
次に、図７に示したカートリッジ回動ホルダ９は軸９ｃを中心に時計方向に一定角度を回動する。これにより、図８に示すように、トラバースシャーシ５に設けられた複数の位置決め基準ピン５ａ，５ｂが第３のカートリッジ１０３ｃの穴に挿入され、第３のカートリッジ１０３ｃの再生位置への移送は完了する。このとき、再生位置移動動作のカートリッジの引き出し時に一緒に案内を行なっていたカートリッジ支持ガイド８は、下方の待避位置に移動する。このため、カートリッジ支持ガイド８はカートリッジ再生中にその再生を妨げることがない。
なお、図６に示されている収納部の第１のカートリッジ１０３ａと第２のカートリッジ１０３ｂは、上記のように第３のカートリッジ１０３ｃが収納部から引き出されたとき、それぞれ１段ずつ下方へ移動し、図８に示す状態になる。
【００２３】
［カートリッジの収納部への返納動作］
次に、再生終了後のカートリッジを収納部における最上段である第１の収納部Ａに返納する動作について説明する。
図８に示す第３のカートリッジ１０３ｃの再生状態において、演奏が終了すると、カートリッジ支持ガイド８が上方に移動し、第３のカートリッジ１０３ｃを保持するカートリッジ回動ホルダ９が軸９ｃを中心に反時計方向に回動して上昇する。このように、カートリッジ支持ガイド８とカートリッジ回動ホルダ９の上昇により、トラバースシャーシ５上に設けられた位置決め基準ピン５ａ，５ｂと第３のカートリッジ１０３ｃとの係合が解除される。そして、第３のカートリッジ１０３ｃは、矢印Ｊ方向に持ち上げられる。このように第３のカートリッジ１０３ｃがカートリッジ回動ホルダ９により持ち上げられた状態を図９に示す。図９はカートリッジ回動ホルダ９が持ち上がり、第３のカートリッジ１０３ｃが収納部へ返納される状態を示す側面断面図である。
【００２４】
次に、第３のカートリッジ１０３ｃは収納部の最上段である第１の収納部Ａに返納すべく矢印Ｋで示す方向への移送が開始される。このとき、収納部を第１の収納部Ａと第２の収納部Ｂを区切る最上段開閉仕切り板４は、メカフレーム１の側面から収納部内へ突出している。このため、第１の収納部Ａに返納された第３のカートリッジ１０３ｃは、最上段の位置から垂れ下がることがなく、完全に第１の収納部Ａに返納され、返納動作は完了する。
【００２５】
上記のように返納動作が完了し、第３のカートリッジ１０３ｃが第１の収納部Ａに収納されると、第３のカートリッジ１０３ｃは第１の収納部Ａにそのまま留めておくか、又は挿入口２から排出するかの２つの動作の何れかを選択することができる。
第３のカートリッジ１０３ｃを挿入口２から排出する場合には、前述の図３における矢印Ｅ方向と逆の方向へ第３のカートリッジ１０３ｃを搬送する。
【００２６】
一方、第３のカートリッジ１０３ｃを第１の収納部Ａに収納しておき、再生するための循環チェンジ動作を行なわせる場合には、カートリッジ回動ホルダ９を軸９ｃを中心に時計方向（図９）に回動させて、前述の図６に示す状態にする。この状態において、カートリッジ支持ガイド８及びカートリッジ回動ホルダ９は、第２の収納部Ｂの最下段から引き出されたカートリッジを受け取れ得る状態となる。
このように図６に示す状態となった後は、前述の再生位置移動動作及び返納動作が繰り返して実行される。
【００２７】
また、本実施例のディスク装置においては、上記の動作を組み合わせた動作モードを設定することが可能であり、例えば、演奏が終了したカートリッジを順次自動的に挿入口２から排出するよう設定することができる。このため、本実施例のディスク装置においては、演奏が終了する度にそのカートリッジを排出する手間が不要となる。このとき、新たなカートリッジを補充する場合には、残りのカートリッジにより引き続き行われている演奏中において自由に挿入口２から挿入する。このように、新たなカートリッジを補充することにより、本実施例のディスク装置は、演奏を継続することができ、操作の極めて簡単な連続演奏機能を提供することができる。
【００２８】
［挿入したカートリッジの直接再生動作］
次に、本実施例において新たに挿入したカートリッジを直接再生位置へ搬送する動作について説明する。
図１０及び図１１は、新たに挿入したカートリッジを直接再生位置へ搬送する動作を説明するための側面断面図である。図１０に示す状態は、第２の収納部Ｂの内部には既に２枚のカートリッジ１０３ｂ、１０３ｃが収納されている。但し、再生部Ｃにはカートリッジは配置されておらず、演奏は行われていない。従って、トラバースシャーシ５上にはカートリッジのない状態である。この状態において、挿入口２から第１のカートリッジ１０３ａを挿入すると、矢印Ｍ方向への引き込み動作が開始される。このとき、最上段開閉仕切り板４は、メカフレーム１の側面から内側へ突出しているため、第１のカートリッジ１０３ａは支持される。最上段開閉仕切り板４により支持された第１のカートリッジ１０３ａはそのまま後方への搬送が続けられ、第１の収納部Ａの収納位置まで移送される。
【００２９】
上記の第１のカートリッジ１０３ａの引き込み動作において、カートリッジ回動ホルダ９は軸９ｃを中心に反時計方向に回動し、第１の収納部Ａと連絡する角度で停止する。この状態を図１０に示す。
図１０に示すように、第１の収納部Ａの第１のカートリッジ１０３ａは、再び矢印Ｍ方向への搬送が行われる。その結果、第１のカートリッジ１０３ａの後ろ端部分（図１０における左側部分）は、カートリッジ回動ホルダ９の保持部９ｂの内側に当接する。
【００３０】
上記のように、第１のカートリッジ１０３ａがカートリッジ回動ホルダ９の保持部９ｂに当接する位置までの搬送を終了すると、カートリッジ回動ホルダ９は軸９ｃを中心に時計方向に回動して下降する。図１１はカートリッジ回動ホルダ９が下降し、且つカートリッジ支持ガイド８が下方の位置に配置されている状態を示す側面断面図である。
図１１に示すように、カートリッジ回動ホルダ９が回動して第１のカードリッジ１０３ａは矢印Ｎで示す下方に移送され、トラバースシャーシ５上に配置される。このとき、トラバースシャーシ５上に設けられた位置決め基準ピン５ａ，５ｂは、第１のカートリッジに形成された穴に挿入され、演奏定置位置への移送が完了する。
【００３１】
上記のように新たに挿入されたカートリッジの直接再生動作は、前述した再生部Ｃから第１の収納部Ａへの返納動作を行う場合と反対の方向にカートリッジを搬送している。このように、挿入された新たなカートリッジに対して直接再生動作を行うことによって、前述の循環チェンジ動作を実行すると発生する余分な送り動作や、時間のロスを無くすことが可能となる。また、本実施例のディスク装置は、第２の収納部Ｂに複数のカートリッジを収納した状態で、新たなカートリッジを素早く再生位置に搬送することが可能となる。ただし、本実施例のディスク装置において、収納されたカートリッジが既に演奏状態にあるとき、新たに挿入されたカートリッジは引き込み動作だけを行い、収納されてディスク装置は演奏状態を継続し続ける。
【００３２】
また、本実施例のディスク装置において、第２の収納部Ｂに複数のカートリッジが積層されており、一方再生部Ｃにはカートリッジが配置されていないとき、新たに挿入されたカートリッジは、既に収納されているカートリッジを移動させることなく、直接的に再生位置へ移動することができる。このため、本実施例のディスク装置は、上記の場合、挿入されたカートリッジをすぐに演奏することが可能となる。
従って、本実施例のディスク装置は、使用者の操作前の状況や操作時の状況を考慮して、演奏すべきか収納すべきかをボタン操作によって選択する必要が無く、自動的に適切なモードを選択して動作する。このため、本実施例のディスク装置は、取扱が容易で、優れた操作性を有する操作方法を提供できる。
【００３３】
なお、本実施例のディスク装置においては、第２の収納部におけるカートリッジの収納枚数を説明と図の簡略化の為、３枚の場合を一例として示したが、本発明はこの枚数に限定されるものではなく、適宜にその収納枚数を増やすことが可能である。例えば、第２の収納部にカートリッジを６枚収納する構成であっても、前述の実施例と同じように構成することができ、その効果も実質的に同じである。
また、本実施例のディスク装置は、薄型に構成され操作性に優れているため、複数のディスクを収納してオートチェンジ機構を有するディスクチェンジャ装置でありながら、それを使用者に意識させることがなく、１枚のディスクのみを収納して演奏するディスク装置のように操作することが可能である。
なお、上記実施例においては再生手段を有するディスク装置について説明したが、本発明はこのような構成に限定されるものではなく、上記実施例のディスク装置における再生部に記録手段と再生手段を設けて記録と再生が可能なディスク装置を構築することも可能である。また、再生部に記録手段のみを設けることも可能であることは言うまでもない。
【００３４】
【発明の効果】
以上、実施例について詳細に説明したところから明らかなように、本発明は次の効果を有する。
本発明によれば、開口部から挿入されたカートリッジや再生部から収納部へ返納されたカートリッジが収納部内において最上段から下降して、最下段から順に再生部へ移送されて、複数枚のカートリッジの各ディスクを順次連続的に演奏可能とする構成のディスク装置を簡単な構成で実現できる。
【００３５】
また、本発明のディスク装置においては、収納部の最上段のみを区切り、この最上段に収納されたカートリッジを開口部と連絡する高さに保持する突出可能な可動式の仕切り部材を備えることにより、従来のディスク装置において設けられていたディスクトレイやディスクキャリアなどの収納部材を収納枚数に応じて用意する必要がなく、またディスク保持手段やディスクのそれぞれを所定の位置に分離して配置するための仕切り部材などを設ける必要がない。このため、本発明によれば、収納部において複数のカートリッジが積み重ねられて収納され、カートリッジ間の隙間を最小に保つことができ、薄型化を達成するディスク装置を得ることに非常に有利である。特に、本発明によれば、車載用途などで使用されるＤＩＮ規格サイズのディスク装置においては有利であり、特定のサイズに限定された小型・薄型化のディスク装置を提供することが可能となる。
【００３６】
また、本発明のディスク装置において、収納部の最下段のカートリッジがカートリッジ移送手段により演奏位置へ引き出されるとき、直上のカートリッジはその位置に保持されるため、引き出されるカートリッジは直上のカートリッジの後端部分のみと接触する構成である。このため、最下段のカートリッジを小さな力で引き出すことができ、引き出されるカートリッジに貼付されたラベル面との引っ掛りを防止できる。また、本発明のディスク装置は、収納部からカートリッジを所定の角度を持たせて引き出し、斜め上後方に引き出す構成としたことにより、再生部は収納部より下方に配置する必要がなく、実質的に同等の高さに配置することができる。
【００３７】
また、本発明のディスク装置においては、収納部の最上段に収納されたカートリッジが直接的に演奏位置へ移送できる構成であるため、挿入されたカートリッジを素早く演奏位置へ移送して再生することができる。このため、本発明によれば、一枚物のディスク装置と同様に素早い音出し操作が実現可能となる。
また、本発明のディスク装置においては、新たなカートリッジが挿入されるとき、既にカートリッジが演奏中であれば収納部内に順に収納し、非演奏中やラジオなど他の音響機器が演奏中であれば、収納部に収納せず再生位置へ移送して演奏可能な状態とすることができる操作モード判別手段を備えている。このように構成された本発明のディスク装置は、カートリッジが挿入されたときの状況、例えば、カートリッジが再生状態なのかラジオなど他の音響機器による再生状態なのか等の状況に応じて、挿入されたカートリッジを直接に再生位置へ移送して再生するか、収納部へ収納するかを自動判定することが可能であり、余分なカートリッジチェンジャ操作に煩わされること無く所望の動作を効率的に実行させることができる。
【００３８】
また、本発明のディスク装置においては、収納部のカートリッジを順次演奏し、その演奏終了したカートリッジを収納部に返納せず順次装置外部へ排出する構成とすることができる。このように構成されているため、本発明のディスク装置は、演奏終了後のカートリッジ毎に手動で排出する操作が不要となる。また、本発明によれば、新たなカートリッジの補充が収納されていたカートリッジの演奏中ならいつでも自由に挿入口に挿入するだけで演奏を継続した状態で可能であり、極めて操作の簡単な連続演奏機能を有するディスク装置を提供できる。
【図面の簡単な説明】
【図１】本発明に係る実施例のディスク装置の内部構成を示す側面断面図である。
【図２】本発明に係る実施例のディスク装置において、１枚のカートリッジが演奏位置にあり、カートリッジを新たに挿入するときの内部構成を示す平面図である。
【図３】本発明に係る実施例のディスク装置におけるカートリッジの引き込み動作を示す側面断面図である。
【図４】本発明に係る実施例のディスク装置におけるカートリッジの収納動作を示す側面断面図である。
【図５】本発明に係る実施例のディスク装置におけるカートリッジの収納時の内部構成を示す平面図である。
【図６】本発明に係る実施例のディスク装置におけるカートリッジの再生位置移動動作を示す側面断面図である。
【図７】本発明に係る実施例のディスク装置におけるカートリッジの再生位置移動動作を示す側面断面図である。
【図８】本発明に係る実施例のディスク装置におけるカートリッジの返納動作を示す側面断面図である。
【図９】本発明に係る実施例のディスク装置におけるカートリッジの返納動作を示す側面断面図である。
【図１０】本発明に係る実施例のディスク装置において、挿入されたカートリッジの再生位置移動動作を示す側面断面図である。
【図１１】本発明に係る実施例のディスク装置において、挿入されたカートリッジの再生位置移動動作を示す側面断面図である。
【符号の説明】
１  メカフレーム
２  挿入口
３  ストッカ枠
４  最上段開閉仕切り板
５  トラバースシャーシ
６  スピンドルモータ
７  ターンテーブル
８  カートリッジ支持ガイド
９  カートリッジ回動ホルダ
１０  光ピックアップ
１１  防振ダンパ
１０３  カートリッジ
【図１】
0003665525.tif 000002
【図２】
0003665525.tif 000003
【図３】
0003665525.tif 000004
【図４】
0003665525.tif 000005
【図５】
0003665525.tif 000006
【図６】
0003665525.tif 000007
【図７】
0003665525.tif 000008
【図８】
0003665525.tif 000009
【図９】
0003665525.tif 000010
【図１０】
0003665525.tif 000011
【図１１】
0003665525.tif 000012